(57)【要約】【課題】矩形形状品の注出部付き包装袋等の注出部を潰さないように、自動的に注出部が重ならないように包装袋等の矩形形状品の束をずらして束ねる等の所望量ずらして整列する際に、簡単な機構・動作で確実なずらし動作を実現する整列方法及びその装置を提供することある。【解決手段】本発明の矩形形状品の整列方法は、各角部が枢軸となっている矩形枠内に矩形形状品の束を装填し、装填後、該矩形枠を平行四辺形に変形駆動することにより、枠の一辺により複数の矩形形状品の端辺位置を順次ずらすようにした。【選択図】図１
2014201349.tif 000002
【特許請求の範囲】
【請求項１】
各角部が枢軸となっている矩形枠内に、矩形形状品の束を装填し、装填後、該矩形枠を平行四辺形に変形駆動することにより、複数の矩形形状品の端辺位置を順次ずらして、該複数の矩形形状品の束を整列することを特徴とする矩形形状品の整列方法。
【請求項２】
各角部が枢軸となっている矩形枠と、該矩形枠を平行四辺形に変形駆動する手段を備えたものであって、前記矩形枠に矩形形状品の束を装填し、装填後、平行四辺形に変形駆動することにより、複数の矩形形状品の端辺位置を順次ずらして、該複数の矩形形状品を整列することを特徴とする矩形形状品の整列装置。
【請求項３】
前記矩形形状品が注出部付き包装袋であって、前記端辺位置をずらして注出部が重ならない変位位置とする請求項２に記載の矩形形状品の整列装置。
【請求項４】
前記矩形枠の対向する辺間にシャフトが掛け渡され、該シャフトは、前記矩形形状品の１辺に形成された凹部内にあって貫通させることにより、前記平行四辺形への変形駆動に伴う矩形形状品のずらし動作を行うことを特徴とする請求項２又は３に記載の矩形形状体品の整列装置。
【請求項５】
前記矩形枠の内側領域にエアーを吹付ける手段を備え、整列する前記矩形形状品間に間隙を作る機能を備えたことを特徴とする請求項２乃至４のいずれかに記載の矩形形状品の整列装置。
【請求項６】
整列する前記矩形形状品の製造ラインが併設され、そのライン数に対応して前記矩形枠が併設されていることを特徴とする請求項２乃至５のいずれかに記載の矩形形状品の整列装置。
【発明の詳細な説明】
【技術分野】
【０００１】
本発明は、束ねられた複数の注出部付き包装袋等の矩形形状品を、一方向に所定量位置をずらせて整列させる矩形形状品の整列方法およびそれを実施する整列装置に関する。
【背景技術】
【０００２】
液体洗浄剤等が充填される詰め替え用の注出部付き包装袋等の矩形形状品においては、内容物の注出性能を向上させるため、注出部に山谷成形を組み合わせた張り出し加工を行ったり、パイプ形状の部品を組み合わせるなどの方法により、注出部を膨らませた製品が求められている。このような注出部付き包装袋は製袋工場から箱詰めにされて出荷されるが、製造ライン（製袋工程）で製造された複数枚の包装袋が束ねられて順次箱体に梱包される。
【０００３】
本出願人が提案した特許文献１の「袋箱詰め方法及び装置」に示された技術は、包装袋の箱詰めに関するもので、既に収められた袋束が倒れないような状態で新たな袋束を当該箱体内に詰めることができる袋箱詰め方法及び装置を提供することを目的としたものである。この袋箱詰め方法は、製袋工程にて製造され排出機構から排出される包装袋を所定枚数（例えば、50枚）束として受け、その袋束をロボットの把持部310で掴み、図６に示すように箱体支持機構により傾斜した姿勢で支持したカートン箱（箱体）100内に搬送する。袋束10はその袋面が重ね合わされるように当該箱体100内に順次積み上げられて梱包される。注出部内にパイプ状のものを取り付けた包装袋は、梱包時の積み重ねによって注出部が潰れてしまうことは比較的少ないが、前述したフィルムを張り出し加工した注出部を備えた注出部付き包装袋は、図７Ａに示すように注出部11が重なり合った状態で梱包されるので、この注出部11部分に負荷が集中し、特に、運搬時に注出部11が潰れる現象が起こる。また、注出部の膨らみにより梱包された包装袋同士に隙間が形成されて、反りが発生し、不良品となる恐れもある。
【０００４】
このような問題に対し、図３に示すように注出部11が重ならないように包装袋10をずらして束ね、張り出し加工された注出部11部分の膨らみを潰さないようにすることが想到される。しかしながら、「注口部をずらして束ねる」工程は複雑な工程で自動化の阻害要因となると共に作業効率の低下要因となる。このため、通常の梱包形態よりも多くの人員を配置する必要があり、製品コストを上昇させる要因でもあった。これに対して、箱詰めしても注出部の潰れがなく、しかも他の包装袋部分に反り癖も付かず、充填口の開口ミスや底部の開き不良が発生することのない、注出部付き包装袋の整列方法、整列装置ならびに箱への収納方法として特許文献２の技術を本出願人は提案した。この注出部付き包装袋の整列は、注出部付き包装袋の整列装置により、膨らんでいる注出部分を順次ずらして複数の注出部付き包装袋を整列するものである。その構成は、機体に設けたズラシスライダーに向けて傾斜する傾斜面、この傾斜面の一側に位置させて機体に設けた固定アーム、及び機体の他側に揺動自在に設けたスイングアームから成るものである。そして、前記傾斜面における整列ゾーン上の複数重ね合わせた注出口付包装袋の束を、スイングアームを揺動させると共に傾斜面を利用してズラシスライダーに当接させ、前記ズラシスライダーを回動させて複数重ね合わせた注出口付包装袋の束をずらし、注出部分同士が重ならないように整列するものである。
【０００５】
しかしながら、前記した張り出し加工された注出部分を備える注出部付き包装袋の整列は、その構成が複雑であり、また、束ねられた複数の注出部付き包装袋を順次ずらす構成であるため作業効率の向上、整列動作、整列状態の安定性に欠け、注出部付き包装袋の整列方法、整列装置の更なる改良が望まれている。
【先行技術文献】
【特許文献】
【０００６】
【特許文献１】特開２００８−３０２９６２号公報  「袋箱詰め方法及び装置」  平成２０年１２月１８日公開
【特許文献２】特開２００６−２９０４３２号公報  「注出口付包装袋の整列方法・整列装置ならびに収納方法」  平成１８年１０月２６日公開
【発明の概要】
【発明が解決しようとする課題】
【０００７】
本発明の課題は、前記の問題を解決すること、すなわち、矩形形状品の注出部付き包装袋等の張り出し加工を行った注出部を潰さないように、束ねられた複数の注出部付き包装袋等の矩形形状品の束を所望量ずらして整列する際に、簡単な機構・動作で、確実なずらし、整列を実現できる矩形形状品の整列方法及びその装置を提供することある。
【課題を解決するための手段】
【０００８】
本発明の矩形形状品の整列方法は、各角部が枢軸となっている矩形枠内に、矩形形状品の束を装填し、装填後、該矩形枠を平行四辺形に変形駆動することにより、複数の矩形形状品の端辺位置を順次ずらして、該複数の矩形形状体品の束を整列することを特徴とする。
【０００９】
本発明の矩形形状品の整列装置は、各角部が枢軸となっている矩形枠と、該矩形枠を平行四辺形に変形駆動する手段を備えたものであって、前記矩形枠に矩形形状品の束を装填し、装填後、平行四辺形に変形駆動することにより、複数の矩形形状品の端辺位置を順次ずらして、該複数の矩形形状品を整列することを特徴とする。
【００１０】
本発明の矩形形状品の整列装置の１形態は、前記矩形形状品が注出部付き包装袋であって、前記端辺位置をずらして注出部が重ならない変位位置とすることを特徴とする。
また、本発明の矩形形状品の整列装置の１形態は、前記矩形枠の対向する辺間にシャフトが掛け渡され、該シャフトは、前記矩形形状品の１辺に形成された凹部内にあって貫通させることにより、前記平行四辺形への変形駆動に伴う矩形形状品のずらし動作を行うことを特徴とする。
また、本発明の矩形形状品の整列装置の１形態は、前記矩形枠の内側領域にエアーを吹付ける手段を備え、整列する前記矩形形状品間に間隙を形成する機能を備えたことを特徴とする。
さらに、本発明の矩形形状品の整列装置の１形態は、整列する前記矩形形状品の製造ラインが併設され、そのライン数に対応して前記矩形枠が併設されていることを特徴とする。
【発明の効果】
【００１１】
本発明の矩形形状品の整列方法によれば、各角部が枢軸の矩形枠を用いるものであり、その矩形枠内に矩形形状品の束を装填し、装填後、該矩形枠を平行四辺形に変形駆動する簡単な機構、単純な動作で、複数の矩形形状品の端辺位置を安定して、順次確実にずらし、作業効率を向上させて整列することができる。
【００１２】
また、本発明の矩形形状品の整列装置は、各角部が枢軸の矩形枠と、該矩形枠を矩形から平行四辺形に変形駆動する手段から成り、前記矩形枠内に矩形形状品の束を装填し、装填後、平行四辺形に変形駆動する簡単な機構、単純な動作により、複数の矩形形状品の端辺位置を安定して、順次確実にずらし、作業効率を向上させて整列することができる。
【００１３】
また、前記本発明の矩形形状品の整列装置を、注出部付き包装袋に適用することにより、張り出し加工された潰れやすい注出部の重なりがなくなり、注出口付包装袋を箱詰め梱包した際に、包装袋の注出部の潰れが防止される。
また、本発明の矩形形状品の整列装置は、前記矩形枠の対向する上下枠間にシャフトが梁渡され、該シャフトは、前記矩形形状品の凹部内にあって貫通せることにより、前記平行四辺形への変形駆動に伴う矩形形状品のずらし動作をより確実に安定して行うことができる。
また、本発明の矩形形状品の整列装置は、前記矩形枠の内側領域にエアーを吹付ける手段を備えることにより、整列する前記矩形形品間に間隙を形成する機能を備え、位置ずらし動作をよりスムーズに安定して行うことが出来る。
さらに、本発明の矩形形状品の整列装置は、整列する前記矩形形状品の製造ラインが併設され、そのライン数に対応して前記矩形枠を併設することにより、ライン毎に生産される矩形形状品をストックさせることなく、並列処理できるので、生産速度を落とすことなく、効率的に矩形形状品の端辺の位置ずらしを行うことができる。
【図面の簡単な説明】
【００１４】
【図１】本発明の矩形形状品の整列方法を説明する図である。
【図２】本発明の矩形形状品の代表例である注出部付き包装袋の形状を説明する図である。
【図３】本発明の矩形形状品の整列の形態を説明する図である。
【図４】本発明の矩形形状品の代表例である注出口付包装袋の整列装置の１実施形態を示す図である。
【図５】本発明の矩形形状品の整列装置を併設した状態を示す図である。
【図６】従来の注出部付き包装袋の束を自動箱詰めする装置を説明する図である。
【図７】従来と本発明による注出部付き包装袋の箱詰め形態を比較して示した図である。
【発明を実施するための形態】
【００１５】
図１を参照しながら、本発明の矩形形状品の整列方法を説明する。１は矩形枠であり、対向する長辺1a，1cと短辺1b，1dが各端部において枢軸２でジョイントされ、常に矩形、好ましくは長方形を形成する。本発明の矩形形状品の位置ずらし整列方法は、この矩形枠１が長方形状の状態の時に、図１のＡに示すように被整列部材となる矩形形状品10の束を矩形枠１内に装填する。次に、装填後、該矩形枠１を平行四辺形に変形駆動することにより、複数の矩形形状品の端辺位置を順次ずらすようにした。要するに、矩形枠１の短辺1bが長辺1aに対し鋭角となるように傾斜駆動され、該短辺1bが矩形形状品10の端部を順次押圧してスライドさせる。結果、図１のＢに示されるように一方向に所定量変位させられ、整列される。各角部が枢軸となっている矩形枠１から成る単純な構造の冶具を用い、長方形状から平行四辺形に変形駆動するだけの簡単な動作で整列を行うことが出来る。
【００１６】
本発明の矩形形状体の整列装置は、各角部が枢軸２となっている矩形枠１と、該矩形枠１を矩形、好ましくは長方形から平行四辺形に変形駆動する手段を備えたもので構成される。この駆動手段は後述するように、例えば、エアーシリンダ等のような適宜の機構でよい。前記矩形枠１が長方形状の状態にある時に矩形形状品10の束を枠内に装填し、装填後、平行四辺形に変形駆動することにより、矩形枠１の１辺例えば1bが矩形形状品10の端辺位置を順次ずらして、複数の矩形形状品を整列させる。
【００１７】
図２に示す矩形形状品の代表例である注出部付き包装袋10の束を重ね、図３に示すその注出部11を潰さずに注出部付き包装袋を一方向にずらして整列させる装置の１実施形態を図４に示す。この注出部付き包装袋10には、長辺の一方の端部近傍に張り出し加工された注出部11が形成され、その下方に内容物のボトル等への詰め替え時に、ボトルの口部に係合させる凹部12が形成されている。内容物の詰め替え時には、注出部11の先端部分をカットして内容物を注出する。本発明の矩形形状品の整列方法、整列装置によって位置をずらして整列された注出部付き包装袋10の束は、箱詰めされたとき、図７のＢに示される形態となり、注出部付き包装袋10の注出部12が潰されることがない。図４は、本発明の矩形形状品の代表例である注出部付き包装袋の整列装置の１実施形態を示す図であり、前述したように１は矩形枠であり対向する長辺1a，1cと短辺1b，1dが各端部において枢軸２でジョイントされている。そして、この矩形枠１が矩形、好ましくは長方形の状態の時に、図４のＡに示すように被整列品の注出部付き包装袋10の束を前工程の製袋工程側から矩形枠１内に装填する。前記矩形枠１には、後述するようにエアーシリンダ等の駆動装置が取付けられている。次いで、注出部付き包装袋10の束を矩形枠１内に装填後、矩形枠１を次工程の箱詰め工程側に回動させると共に前記駆動装置を駆動させ、矩形枠１を平行四辺形に変形駆動することにより、複数の注出部付き包装袋10の端辺位置を順次ずらす。図中、３はシャフト、４はエアー噴射ノズルである。
【００１８】
シャフト３は、矩形枠１の対向する長辺1aと1c間にされ、前述した注出部付き包装袋10の凹部12内にあって貫通するように設置される。このシャフト３は長辺1a側を支点として一端が固定され、対向長辺1cに設けられた長穴を挿通させて掛け渡されており、あるいはシャフト３の両端をフリージョイントで位置固定して掛け渡しても良く、矩形枠１の変形に支障をきたさない機構とする。そして、図４のＡに示すように、被整列品の注出部付き包装袋10の束を矩形枠１内に装填したとき、前記シャフト３は注出部付き包装袋10の凹部12内にあって、その束を貫通する形態（図中Ａの下段参照）を採る。続いて装填後、駆動装置を駆動させ、矩形枠１を平行四辺形に変形駆動することにより、複数の注出部付き包装袋10の端辺位置を順次ずらす動作となるが、その際、前記シャフト３は矩形枠１の短辺1bと平行に変位して傾斜する。このように、注出部付き包装袋10の凹部12内にあって、その束を貫通しているシャフト３が揺動することにより、注出部付き包装袋10の凹部12の内周面にも、複数の注出部付き包装袋10の端辺に作用する矩形枠１の短辺1bの作用力に同期して、同様の作用力が作用する。この作用力により、複数の注出部付き包装袋10の端辺位置を順次ずらす動作をより確実、正確に行い、図中Ｂの下段に示されるようにきれいにずらすことができる。
【００１９】
また、エアー噴射ノズル４は、矩形枠１の枠内に向けて設置される。図４のＡに示すように、被整列部材の注出部付き包装袋10の束を矩形枠１内に装填したとき、このエアー噴射ノズル４からエアーを噴射し、束となっている複数の注出部付き包装袋10間にエアーを吹き込んで間隙を形成する。その後、矩形枠１が図４のＢに示す平行四辺形に変形駆動し、この間隙の形成により、重なり合っている注出部付き包装袋10の付着が解除され、位置ずらし動作をよりスムーズに安定して行うことができる。
この矩形枠１の変形駆動時のエアー吹付け動作は、１回乃至数回繰り返すことにより、位置ずらし動作をより確実、正確に行うことができる。そして、この動作は、矩形枠１の平行四辺形への変形駆動に際して繰り返し行われる。
【００２０】
図５は、矩形形状品の製造ラインが併設されている場合、そのライン数に応じて前述した矩形枠が併設された矩形形状品の整列装置の１実施形態を示す図である。そして、矩形形状品が注出部付き包装袋である場合、その製造ラインは対称配置で一対に２つの包装袋が製造され、一般的に並行に供給搬送されるので、前述した矩形枠１を２つ併設した実施形態を示したものである。図中、７は基板であり、この基板７上に左右一対に２つの矩形枠１，１’が併設され、この基板７は鉛直状態で設置される。左側の矩形枠１は、上側の長辺が基板７に固定され、右側の矩形枠１’は下側の長辺が基板７に固定されている。５はレバー、６，６’は駆動装置であって、左側の矩形枠１は駆動装置６によって、破線で示すように上方に押し上げられて平行四辺形に変形駆動され、一方、右側の矩形枠１’は駆動装置６’によって、破線で示すように下方に押し下げられて平行四辺形に変形駆動される。そして、前述したシャフト３，３’の位置から判るように、左側の矩形枠１内に装填される注出部付き包装袋10は右側に注出部11が、右側の矩形枠１’内に搬入される注出部付き包装袋10は左側に注出部11が位置するように、製造ラインに準じて対称配置される。また、左側及び右側の矩形枠１、１’内に装填された注出部付き包装袋10の束は、いずれも重力によって下側の固定辺上に装填された後、基板７を次工程の箱詰め工程側に回動し、併設した矩形枠１、１’を回動して上方に向けた後、平行四辺形への変形駆動を行う。この際、左側の矩形枠１内の注出部付き包装袋10の束は、駆動装置６によって平行四辺形に変形駆動されると破線で示すように右側に押し付けられる。このため、矩形枠１内の注出部付き包装袋10の束は変位量が大きく、この押し付けの移動過程で注出部付き包装袋10の幅方向に整列の乱れが生じやすい。この整列の乱れを防止するため、左側の矩形枠１にはレバー５が取り付けられ、矩形枠１の平行四辺形への変形駆動の際に、前記矩形枠１内の注出部付き包装袋の束を左側から押さえている。このレバー５は、図に実線で書かれた基点位置から破線で示した位置まで回動する。そして、矩形枠１内に注出部付き包装袋の束が装填される際は基点位置にあり、矩形枠１の平行四辺形への変形駆動が開始される前に、前記矩形枠１の左側短辺の開口通過して破線位置に回動され、平行四辺形への変形駆動が開始されると矩形枠１の平行四辺形への変形に追従して回動し、平行四辺形への変形が終わると基点位置に復帰する。
次いで、図示しないピックアップ装置により、整列された包装袋束が排出された後、基板７を前工程の製袋工程側へ回動し、併設した矩形枠１、１’を平行四辺形から矩形に変形駆動しながら回動させて製袋工程側に向け、次の注出部付き包装体10の束の装填に備える。
このように、整列装置を併設することにより、製袋ライン毎に生産される注出部付き包装袋をストックさせることなく並列処理できるので、生産速度を落とすことなく注出部を潰さずに、注出部付き包装袋の端辺の位置をずらすことができる。
【産業上の利用可能性】
【００２１】
本明細書では、矩形形状品が注出部付き包装体を例として説明してきたが、本発明はこれに限られるものではなく、定型封筒の郵便番号の読み取りや包装体の中身等の識別コード読み取り、製造ラインにおける矩形形状のパーツの扱いなど広く適用することが出来る。
【符号の説明】
【００２２】
１  矩形枠                          1a,1b,1c,1d  矩形枠の各辺
２  枢軸                            ３  シャフト
４  エアー噴射ノズル                ５  レバー
６  駆動装置                        ７  基板
10  矩形形状体（注出部付き包装袋）  11  注出部
12  凹部
【図１】
2014201349.tif 000003
【図２】
2014201349.tif 000004
【図３】
2014201349.tif 000005
【図４】
2014201349.tif 000006
【図５】
2014201349.tif 000007
【図６】
2014201349.tif 000008
【図７】
2014201349.tif 000009